(57)【要約】【課題】多数の被綴じ物を綴じ込んでも、容易に綴具の綴じ部材を開くことができるオープナーを提供する。【解決手段】この発明にかかるオープナー１０は、綴じ環１１２，１１４と、前記綴じ環１１２，１１４を間隔をおいて設けることができる保持部材１１６とを含み、綴具１１０に取り付けられて、前記綴じ部材１１２ａ，１１２ｂを開くためのオープナー１０であって、基体１２と、前記基体１２に一対の綴じ部材１１４ａ，１１４ｂが貫通するように並んで形成される一対の貫通孔２０，２２とを含み、前記綴じ環１１２，１１４を結ぶ方向に対して前記基体１２を傾斜させる向きに力を加えたときに、前記綴じ部材１１４ａ，１１４ｂが開くために一対の前記綴じ部材１１４ａ，１１４ｂが変位するように前記貫通孔２０，２２の端部が一対の前記綴じ部材１１４ａ，１１４ｂに当接される。【選択図】図２
2011073406.tif 000002
【特許請求の範囲】
【請求項１】
開閉可能な一対の綴じ部材が閉じることによって形成される綴じ環と、前記綴じ環を間隔をおいて設けることができる長さを備えた保持部材とを含み、
間隔をおいて設けられた前記綴じ環を結ぶ方向に沿って互いに逆向きに一対の前記綴じ部材を変位させることにより一対の前記綴じ部材が開く綴具に取り付けられて、前記綴じ部材を開くためのオープナーであって、
長手方向を有する基体と、前記基体の長手方向の一端側において一対の前記綴じ部材が貫通するように前記基体に並んで形成される一対の貫通孔とを含み、
前記綴じ環を結ぶ方向に対して前記基体を傾斜させる向きに力を加えたときに、前記綴じ部材が開くために一対の前記綴じ部材が変位するように前記貫通孔の端部が一対の前記綴じ部材に当接される、オープナー。
【請求項２】
前記基体には、一対の前記貫通孔の間の中央部において前記基体の長手方向に沿って折れ曲がるヒンジ部が形成された、請求項１に記載のオープナー。
【請求項３】
前記ヒンジ部は一対の前記貫通孔の間の中央部から前記基体の長手方向の中間部まで連続して形成される、請求項２に記載のオープナー。
【発明の詳細な説明】
【技術分野】
【０００１】
この発明は、オープナーに関し、特にたとえば、リングバインダまたはリングファイルに用いられる綴具を開くために用いられるオープナーに関する。
【背景技術】
【０００２】
リングバインダやリングファイルには、複数の綴じ環を有する綴具が用いられる。綴具は表紙の内側に取り付けられて、紙などの被綴じ物が綴じ込まれる。綴具の綴じ環は、開閉可能な２つの綴じ部材を有し、これらの綴じ部材は開く向きに付勢されている。綴じ部材の先端側には、綴じ環係止部が形成され、綴じ環係止部で係止されることにより、２つの綴じ部材が閉じた状態を保持することができる。
【０００３】
このような綴具において、いくつかの綴じ部材の開閉方式があるが、綴じ環を構成する２つの綴じ部材の間の中心線に沿って、２つの綴じ部材を互いに逆向きに変位させることにより、綴じ環係止部を解除させる方式の綴具がある。このような綴具では、閉じた２つの綴じ部材を親指と人差し指ではさみ、２つの綴じ部材が逆向きに変位するように捩じるような動作を行うことにより、綴じ環係止部を解除して綴じ部材を開くことができる。したがって、綴じ環を捩じって綴じ部材を開き、被綴じ物に形成された孔に綴じ部材を挿通して、綴じ部材を閉じることにより、被綴じ物を綴具に綴じ込むことができる（特許文献１参照）。
【先行技術文献】
【特許文献】
【０００４】
【特許文献１】特開２００９−０７３２０３号公報
【発明の概要】
【発明が解決しようとする課題】
【０００５】
しかしながら、図３９に示すように、綴具１に多数の被綴じ物２が綴じ込まれた場合、被綴じ物２から露出する綴じ部材３の範囲が少なくなる。そのため、綴じ部材３をはさんで捩じることが難しくなり、綴じ部材３を開くことが困難になるきらいがある。
【０００６】
それゆえに、この発明の主たる目的は、多数の被綴じ物を綴じ込んでも、容易に綴具の綴じ部材を開くことができるオープナーを提供することである。
【課題を解決するための手段】
【０００７】
この発明にかかるオープナーは、開閉可能な一対の綴じ部材が閉じることによって形成される綴じ環と、前記綴じ環を間隔をおいて設けることができる長さを備えた保持部材とを含み、間隔をおいて設けられた前記綴じ環を結ぶ方向に沿って互いに逆向きに一対の前記綴じ部材を変位させることにより一対の前記綴じ部材が開く綴具に取り付けられて、前記綴じ部材を開くためのオープナーであって、長手方向を有する基体と、前記基体の長手方向の一端側において一対の前記綴じ部材が貫通するように前記基体に並んで形成される一対の貫通孔とを含み、前記綴じ環を結ぶ方向に対して前記基体を傾斜させる向きに力を加えたときに、前記綴じ部材が開くために一対の前記綴じ部材が変位するように前記貫通孔の端部が一対の前記綴じ部材に当接される、オープナーである。
オープナーに形成された貫通孔に綴具の綴じ部材を挿通し、綴具の綴じ環を結ぶ方向に対して傾斜する向きにオープナーの基体に力を加えることにより、オープナーの貫通孔の端部によって綴じ部材が開く向きに変位させられる。貫通孔は、基体の長手方向の一端側に形成されているため、基体の長手方向の他端側を押すことにより、綴じ部材を開くことができる。オープナーによって、綴じ部材の先端側でなく、保持部材側において綴じ部材に力を加えることができるため、オープナーの上に被綴じ物を綴じ込むことができ、被綴じ物の量に関係なく、綴じ部材を開くことができる。
【０００８】
このようなオープナーにおいて、基体には、一対の貫通孔の間の中央部において基体の長手方向に沿って折れ曲がるヒンジ部を形成することが好ましい。
オープナーの基体にヒンジ部を形成することにより、基体の強度を大きくすることができ、基体の変形を防止することができる。また、基体にヒンジ部を形成することにより、基体に形成された貫通孔を綴具の保持部材に近い位置で綴じ部材に当接させることができる。
【０００９】
また、ヒンジ部は一対の貫通孔の間の中央部から基体の長手方向の中間部まで連続して形成されることが好ましい。
オープナーの基体の全体にヒンジ部を形成すると、オープナーの操作時にヒンジ部で基体が曲がって、操作性が悪くなる可能性がある。そこで、ヒンジ部を貫通孔形成部から基体の中間部まで形成して、その先を平面状に形成することにより、基体の先端側の操作部分が曲がらないようにすることができ、操作性を良好に保つことができる。
【発明の効果】
【００１０】
この発明によれば、オープナーを綴具に装着しておくことにより、綴具の保持部材側において綴じ部材に力を加えることができる。そのため、オープナーの上において、綴具に被綴じ物を綴じ込むことができ、多数の被綴じ物を綴じ込んでも、オープナーの操作によって綴具の綴じ部材を開くことができる。オープナーは、長手方向を有する基体を有するため、たとえば綴具の綴じ部材から表紙の下端部に届くように基体を配置することにより、表紙の端部においてオープナーを操作することができる。
【００１１】
この発明の上述の目的，その他の目的，特徴および利点は、図面を参照して行う以下の発明を実施するための最良の形態の説明から一層明らかとなろう。
【図面の簡単な説明】
【００１２】
【図１】本発明にかかる一実施の形態である綴具を用いたファイルのオープナーを示す斜視図である。
【図２】図１図示実施の形態であるオープナーを示す平面図解図である。
【図３】オープナーと綴具の斜視図である。
【図４】オープナーの平面図解図である。
【図５】図１図示オープナーの正面図解図である。
【図６】閉じた状態における綴じ環とオープナーを示す平面図解図である。
【図７】閉じた状態から開けかけた状態における綴じ環と作動部材を示す平面図解図である。
【図８】開いた状態における綴じ環と作動部材を示す平面図解図である。
【図９】開閉部材を示す図解図であり、（Ａ）（Ｂ）は、平面図解図であり、（Ｃ）は、作動部材への係止方法を示す底面図解図である。
【図１０】開閉部材の架ける方法を示す側面図解図で、（Ａ）は元の状態の側面図解図で（Ｂ）（Ｃ）は連接部の円周方向に力を加えて作動部材に係止した状態の側面図解図である。
【図１１Ａ】閉じた状態における綴じ環と作動部材を示す平面図解図である。
【図１１Ｂ】閉じた状態における綴じ環と作動部材を示す左側図解図である。
【図１１Ｃ】閉じた状態における綴じ環と作動部材を示す右側図解図である。
【図１１Ｄ】閉じた状態における綴じ環と作動部材を示す正面図解図である。
【図１１Ｅ】閉じた状態における綴じ環と作動部材を示す底面図解図である。
【図１１Ｆ】綴じ環と綴じ環部材の貫通孔との関係を示す平面図解図である。
【図１２】閉じた状態における綴具の平面図解図である。
【図１３】閉じた状態における綴具の底面図である。
【図１４】閉じた状態における綴具の横断面図であり、（Ａ）は、図１３Ａ−Ａ断面図であり、（Ｂ）は、概略を示した図１３Ｂ−Ｂ断面図である。
【図１５】綴じ環を開く状態を示す綴具の底面図である。
【図１６】綴じ環を開く状態を示す綴具の綴じ環の図解図である。
【図１７】開いた状態における綴具の平面図解図である。
【図１８】開く状態を示す綴具の底面図解図である。
【図１９】開いた状態における綴具の横断面図であり、（Ａ）は、図１８Ａ−Ａ断面図であり、（Ｂ）は、概略を示した図１８Ｂ−Ｂ断面図である。
【図２０】綴じ環を綴じる状態を示す綴じ環の図解図であり、（Ａ）は、平面図解図であり、（Ｂ）は、正面図解図である。
【図２１】綴じ環を綴じる状態を示す綴じ環の図解図であり、（Ａ）は、平面図解図であり、（Ｂ）は、正面図解図である。
【図２２】綴じ環を綴じる状態を示す綴じ環の図解図であり、（Ａ）は、平面図解図であり、（Ｂ）は、正面図解図である。
【図２３】オープナーの変形例を用いたＤ型綴具のファイルを示す斜視図解図である。
【図２４】オープナーの変形例を用いたＤ型綴具のファイルを示す平面図解図である。
【図２５】図２３図示ファイルの正面図解図である。
【図２６】オープナーの変形例を用いたＤ型綴具のファイルを示す平面図解図である。
【図２７】第１の実施の形態であるオープナーの変形例であるオープナーの正面図である。
【図２８】第１の実施の形態であるオープナーの変形例であるオープナーの背面図である。
【図２９】第１の実施の形態であるオープナーの変形例であるオープナーの平面図である。
【図３０】第１の実施の形態であるオープナーの変形例であるオープナーの底面図である。
【図３１】第１の実施の形態であるオープナーの変形例であるオープナーの右側面図である。
【図３２】第１の実施の形態であるオープナーの変形例であるオープナーの図２７Ａ−Ａ部分拡大図である。
【図３３】第１の実施の形態であるオープナーの変形例であるオープナーの図３２Ｂ−Ｂ線切断端面図である。
【図３４】第１の実施の形態であるオープナーの変形例であるオープナーの図３２Ｃ−Ｃ線切断端面図である。
【図３５】オープナーの変形例を用いたＯ型綴具のファイルを示す平面図解図である。
【図３６】オープナーの変形例を用いたＤ型綴具のファイルを示す平面図解図である。
【図３７】この発明に関係する綴具の説明図である。
【図３８】この発明に関係する綴具を用いたファイルの説明図である。
【図３９】背景技術を示す図解図である。
【発明を実施するための形態】
【００１３】
図１はこの発明のオープナーが取り付けられたリングファイルの一例を示す図解図であり、図２はその平面図であり、図３はその要部図解図である。リングファイルは、厚紙その他の比較的硬質なシート材からなる表紙ＣＯを含む。表紙ＣＯの略中央に形成される平行な一対の折り線の内側、つまり背表紙の内側に、綴具１１０が取り付けられる。この綴じ具１１０は、たとえば向こう側の第１の綴じ環１１２と、第１の綴じ環１１２と一対の手前側の第２の綴じ環１１４とを含む。第１の綴じ環１１２は、第１の綴じ部材１１２ａおよび第２の綴じ部材１１２ｂを含み、第１の綴じ部材１１２ａと第２の綴じ部材１１２ｂが閉じることによって、略Ｏの字環状となる第１の綴じ環１１２が形成される。同様に、第２の綴じ環１１４は、第３の綴じ部材１１４ａおよび第４の綴じ部材１１４ｂを含み、第３の綴じ部材１１４ａと第４の綴じ部材１１４ｂが閉じることによって、略Ｏの字環状となる第２の綴じ環１１４が形成される。
【００１４】
綴具１１０は、前記第１の綴じ環１１２および第２の綴じ環１１４をそれぞれ間隔をおいて設けることができる長さを備えた保持部材１１６と、第１の綴じ環１１２と第２の綴じ環１１４とが保持部材１１６に固定されるように、表面側よりのびるように第１の綴じ環１１２と第２の綴じ環１１４とを固定された一対の板状の作動片が保持部材１１６の内側に移動自在に固定された、作動部材１１８とを備える。
【００１５】
この綴具１１０の綴じ環は、主綴じ環たる第１の綴じ環１１２と副綴じ環たる第２の綴じ環１１４とからなる開閉自在の２穴タイプである。
第１の綴じ環１１２と第２の綴じ環１１４とは、同一方向に向けて、その綴じ環係止部１５０を、この発明にかかるオープナー１０で外すことができるように構成されている。
そして、綴じ環を閉じるときは、主綴じ環たる第１の綴じ環１１２を、例えば親指と人差し指で直接挟んで閉じるように構成されており、第１の綴じ環１１２を２本の指で挟んで閉じる方向に作動させると、副綴じ環たる第２の綴じ環１１４は追動するように構成されている。
【００１６】
第１の綴じ環１１２は、略Ｏの字状の綴じ環となるように、略半円弧状の第１の綴じ部材１１２ａと略半円弧状の第２の綴じ部材１１２ｂとから構成され、第２の綴じ環１１４は、略Ｏの字状の綴じ環となるように、略半円弧状の第３の綴じ部材１１４ａと略半円弧状の第４の綴じ部材１１４ｂとから構成されている。そして、用紙等の被綴じ物Ｓに予め穿設された綴じ孔に挿通して、用紙等の被綴じ物Ｓを綴じることができるように、第１の綴じ部材１１２ａおよび第２の綴じ部材１１２ｂと、第３の綴じ部材１１４ａと第４の綴じ部材１１４ｂの先端、すなわち第１の綴じ環１１２および第２の綴じ環１１４の頂部において、綴じ環係止部１５０が形成されている。
【００１７】
保持部材１１６は、第１の綴じ環１１２と第２の綴じ環１１４とを所定の間隔をおいて設けることができる長さを備える平面視略長方形で、その両端、すなわち表紙ＣＯに取り付ける取付孔１２０近傍においては、平面視略半円弧状に形成されている。
保持部材１１６は、第１の綴じ環１１２および第２の綴じ環１１４を固定する部位より長手方向における外側近傍より内側に向かって、その中央が膨出した断面略半円弧状の被綴じ物載置部１２２を備え、且つ、被綴じ物載置部１２２の内側は保持空間を備え、その保持空間に作動部材１１８等を収容するように構成されている。
保持部材１１６の被綴じ物載置部１２２の両端には、その長手方向に略その一端から他端に亘って、作動部材１１８を摺動自在に保持する第１の保持壁１２４ａ，第２の保持壁１２４ｂが設けられている。この実施の形態においては、第１の保持壁１２４ａ，第２の保持壁１２４ｂは、保持部材１１６の長手方向において、第１の綴じ環１１２および第２の綴じ環１１４のそれぞれの外側近傍より内部に亘って略全体において垂下されるように、第１の保持壁１２４ａおよび第２の保持壁１２４ｂが連設され、第１の保持壁１２４ａと第２の保持壁１２４ｂとは平行で略同一の形状の板状である。
そして、この第１の保持壁１２４ａおよび第２の保持壁１２４ｂと被綴じ物載置部１２２によって囲繞された保持空間内に、後に詳しく説明する作動部材１１８、開閉部材１４０等が収容される。
【００１８】
第２の綴じ環１１４に、この発明にかかるオープナー１０が取り付けられる。オープナー１０は、図４に示すように、第２の綴じ環１１４と表紙の下端縁との間の長さより長い長さを備える長手方向を有する基体１２を含む。基体１２は、たとえば合成樹脂などで板状に形成される。
基体１２は、長手方向の向こう側の一端側より手前側の中央部までのびる左側端縁と右側端縁とを有し、該左側端縁と右側端縁とが平行で、長手方向の一端側において、幅方向の両側端部が円弧状となるように形成される。
また、基体１２の長手方向の中央部に近い位置において、基体１２の幅方向の両側端部に段差部１４が形成され、基体１２の長手方向の一端側より他端側の幅が狭くなるように形成される。
この実施の形態においては、基体１２の幅は、長手方向の中央部より向こう側においては、背表紙の幅より長い長さを有し、段差部１４においては背表紙の幅と略々同じ幅に形成されている。
【００１９】
さらに、基体１２の長手方向の手前側である他端側において、基体の１２の幅方向の両側に、その幅が徐々に狭くなる傾斜部１６ａ，傾斜部１６ｂが形成される。
一方の右側の傾斜部１６ａには、基体１２の長手方向にのびる操作部１８が形成される。操作部１８は、一方の（図２において、右側の）傾斜部１６ａの終端部から基体１２の長手方向の手前側である他端部まで形成される。
操作部１８は、傾斜部１６ａに続いて、他方の傾斜部１６ｂ側に向けて凹むように連設され、傾斜部１６ａと操作部１８との接続部分の近傍に指を添えることができるように形成されている。操作部１８の終端部および他方の傾斜部１６ｂの終端部は、円弧状に形成される。
【００２０】
基体１２の長手方向の一端側には、その幅方向に並んで、たとえば四角形の２つの第１貫通孔２０，第２貫通孔２２が形成される。一方の第１貫通孔２０は、他方の第２貫通孔２２より小さく形成される。ここで、基体１２には、他方の第２貫通孔２２から基体１２の幅方向の第２貫通孔２２の前記孔縁に近接した端部に続く切れ目２４が形成される。切れ目２４は、基体１２の左側端縁と第２貫通孔２２の左側孔縁と略々直交する。
これらの第１貫通孔２０及び第２貫通孔２２には、綴具１１０の手前側の第２の綴じ環１１４を構成する第３の綴じ部材１１４ａおよび第４の綴じ部材１１４ｂが挿通される。このとき、第３の綴じ部材１１４ａおよび第４の綴じ部材１１４ｂが開いた状態で、第１貫通孔２０に第３の綴じ部材１１４ａを挿通し、切れ目２４を通して第２貫通孔２２に第４の綴じ部材１１４ｂが嵌め込まれる。このとき、第２貫通孔２２を第１貫通孔２０より大きくしておくことにより、切れ目２４の両側における基体１２の長さすなわち、第２貫通孔２２の孔縁の長さを長くすることができ、第３の綴じ部材１１４ａを挿通するときに切れ目２４部分を開きやすくすることができる。
【００２１】
綴具１１０は、直接オープナー１０で開けられ且つ指で閉じられる主綴じ環たる第１の綴じ環１１２と、前記第１の綴じ環１１２の閉じる方向に向けての作動に追動する副綴じ環たる第２の綴じ環１１４とにより構成され、右側の第１の綴じ部材１１２ａ及び第３の綴じ部材１１４ａは手前側に向けて移動し、左側の第２の綴じ部材１１２ｂ及び第４の綴じ部材１１４ｂは向こう側に向けて移動して、オープナー１０で開くように構成されている。
綴具１１０を開くためにオープナー１０の手前側の操作部１８を左側すなわち第４の綴じ部材１１４ｂに向けて押して回転させるときに、オープナー１０の第１貫通孔２０の向こう側の孔縁が第３の綴じ部材１１４ａの基部に近い向こう側を手前側に向けて押し、且つオープナー１０の第２貫通孔２２の手前側の孔縁が第４の綴じ部材１１４ｂの基部に近い手前側を向こう側に向けて押すように構成されているが、第１貫通孔２０及び第２貫通孔２２は、それに対応するように構成されている。
第１貫通孔２０及び第２貫通孔２２は、略方形で、縦の長さは、第２の綴じ環１１４の幅より若干長く、横幅は第２の綴じ環１１４を開くときにも閉じるときにも対応できる長さを備えている。
第１貫通孔２０は、第３の綴じ部材１１４ａをしっかり捉えて稼動させることによりオープナー１０の操作性を向上させるために、第３の綴じ部材１１４ａの横断面形状に比較的近いが、若干遊びをもたせるために、第２貫通孔２２の方が第１貫通孔２０よりひとまわり大きい。
更に、第１貫通孔２０と第２貫通孔２２とは、それぞれの略方形の孔の対角線の交わる中心位置が基体１２の長手方向にずれており、第１貫通孔２０の方が第２貫通孔２２より手前側に下がっている。
而して、オープナー１０の手前側の操作部１８を左側に押したとき、その押す方向とは反対側にある第１貫通孔２０の向こう側の孔縁が直ちに第３の綴じ部材１１４ａの向こう側の基部の近傍に当たり、第３の綴じ部材１１４ａを手前側に移動させることができるようにして、初期移動を早めるように構成されている。第２貫通孔２２の手前側の孔縁が第４の綴じ部材１１４ｂの手前側の基部の近傍に当たるときは、第１貫通孔２０の向こう側の孔縁が第３の綴じ部材１１４ａの向こう側の基部の近傍に当たるときより遅れる。
【００２２】
さらに、基体１２の長手方向の他端側には、基体１２の幅方向に向かう矢印状の孔２６が形成される。矢印状の孔２６は、基体１２の幅方向において、操作部１８側から反対側に向かうように形成される。また、基体１２には、長手方向に沿って折れ曲がるように形成されたヒンジ部２８が形成される。ヒンジ部２８は、２つの第１貫通孔２０，第２貫通孔２２の間の中央部、すなわち基体１２の幅方向の中央部を通るように形成される。ヒンジ部２８は、基体１２の長手方向の一端から矢印状の孔２６まで形成され、矢印状の孔２６から基体１２の長手方向の他端までの間にはヒンジ部は形成されない。ヒンジ部２８は、図５に示すように、操作部１８側から見たときに、第１貫通孔２０，第２貫通孔２２が下方に配置されるような山形となり、保持部材１１６の中央線上から左右の第１の保持壁１２４ａ及び第２の保持壁１２４ｂに至る傾斜面に沿った形状となるように構成される。このオープナー１０は、綴具１１０に取り付けられる。
【００２３】
保持部材１１６の被綴じ物載置部１２２には、向こう側の第１の綴じ環１１２と手前側の第２の綴じ環１１４とを、保持部材１１６の長さ方向において一定の間隔（日本工業規格等で決められている一定の長さ）をあけて遊貫するための向こう側の貫通孔１２６と手前側の貫通孔１２８とがそれぞれ穿設されている。
向こう側の貫通孔１２６と手前側の貫通孔１２８とは、第１の綴じ環１１２を構成する第１の綴じ部材１１２ａおよび第２の綴じ部材１１２ｂと、第２の綴じ環１１４を構成する第３の綴じ部材１１４ａおよび第４の綴じ部材１１４ｂとに対応して、保持部材１１６の幅方向において左右に分かれて一定の間隔をおいて、Ｂ側貫通孔１２６ａ，１２８ａ（表紙ＣＯの裏表紙側）とＡ側貫通孔１２６ｂ，１２８ｂ（表紙ＣＯの表表紙側）とが穿設されている。
向こう側の貫通孔１２６は、第１の綴じ部材１１２ａを貫入し保持部材１１６の長さ方向において第１の綴じ部材１１２ａを孔の中において移動することができる間隔を備えた、Ｂ側貫通孔１２６ａと、第２の綴じ部材１１２ｂを貫入し保持部材１１６の長さ方向において第２の綴じ部材１１２ｂを孔の中において移動することができる間隔を備えたＡ側貫通孔１２６ｂとからなる。Ｂ側貫通孔１２６ａは、平面視略Ｕ字状で開口部分から続く向こう側の孔縁１２６ａ1と手前側の孔縁１２６ａ2とを有する。
Ａ側貫通孔１２６ｂは、Ｂ側貫通孔１２６ａと略対称形であり、平面視略Ｕ字状で開口部分から続く向こう側の孔縁１２６ｂ1と手前側の孔縁１２６ｂ2とを有する。
手前側の貫通孔１２８は、第３の綴じ部材１１４ａを貫入し保持部材１１６の長さ方向において第３の綴じ部材１１４ａを孔の中において移動することができる間隔を備えた、Ｂ側貫通孔１２８ａと、第４の綴じ部材１１４ｂを貫入し保持部材１１６の長さ方向において第４の綴じ部材１１４ｂを孔の中において移動することができる間隔を備えたＡ側貫通孔１２８ｂとからなる。Ｂ側貫通孔１２８ａは、平面視略Ｕ字状で開口部分から続く向こう側の孔縁１２８ａ1と手前側の孔縁１２８ａ2とを有する。
Ａ側貫通孔１２８ｂは、Ｂ側貫通孔１２８ａと略対称形であり、平面視略Ｕ字状で開口部分から続く向こう側の孔縁１２８ｂ1と手前側の孔縁１２８ｂ2とを有する。
Ｂ側貫通孔１２６ａとＢ側貫通孔１２８ａとは同じ形状であり、Ａ側貫通孔１２６ｂとＡ側貫通孔１２８ｂとは同じ形状である。
【００２４】
Ｂ側貫通孔１２６ａとＡ側貫通孔１２６ｂとは、保持部材１１６の長さ方向における位置が変化づけられ、Ｂ側貫通孔１２６ａの手前側縁がＡ側貫通孔１２６ｂの手前側縁より向こう側に位置している。
Ｂ側貫通孔１２８ａとＡ側貫通孔１２８ｂとは、保持部材１１６の長さ方向における位置が変化づけられ、Ｂ側貫通孔１２８ａの手前側縁がＡ側貫通孔１２８ｂの手前側縁より向こう側に位置している。
この実施の形態においては、第１の綴じ環１１２と第２の綴じ環１１４とが閉じられたとき、第２の綴じ部材１１２ｂの綴じ環係止部１５０の脱係が外される方向Ｏ２とは反対側の手前側の孔縁１２６ｂ2の方が、第１の綴じ部材１１２ａの綴じ環係止部１５０の脱係が外される方向Ｏ１の側の手前側の孔縁１２６ａ2より手前側に位置している。
同様に、第１の綴じ環１１２と第２の綴じ環１１４とが閉じられたとき、第４の綴じ部材１１４ｂの綴じ環係止部１５０の脱係が外される方向Ｏ２とは反対側の手前側の孔縁１２８ｂ2の方が、第３の綴じ部材１１４ａの綴じ環係止部１５０の脱係が外される方向Ｏ１の側の手前側の孔縁１２８ａ2より手前側に位置している。
【００２５】
作動部材１１８は、平面視略長方形状金属板からなる一対の第１の作動片１３０および第２の作動片１３２からなる。
第１の作動片１３０及び第２の作動片１３２は、その長手方向において、第１の保持壁１２４ａ及び第１の保持壁１２４ｂと平行でその内面に摺動する外側端縁１３０ｂ及び外側端縁３２ｂが形成され、該外側端縁１３０ｂ及び外側端縁１３２ｂと平行に当該一対の第１の作動片１３０及び第２の作動片１３２を突き合わせる突き合わせ縁１３０ａ及び突き合わせ縁１３２ａが内側縁に形成されている。第１の作動片１３０及び第２の作動片１３２は、突き合わせ縁１３０ａ及び突き合わせ縁１３２ａの長手方向における中央Ｃ（図１１及び図１３図示）を対称の中心とする点対称形で、保持部材１１６の保持空間内において各々をその長手方向において並置したとき、各々その内側縁において屈曲自在に係合する。
【００２６】
作動部材１１８は、一方の作動片、すなわち第１の作動片１３０における保持部材１１６の被綴じ物載置部１２２の内側面と対向する表面（すなわち上面）には、第１の綴じ環１１２を構成する第１の綴じ部材１１２ａの基部が固定され、且つ、前記第１の綴じ部材１１２ａとは一定の間隔をおいて、第２の綴じ環１１４を構成する第３の綴じ部材１１４ａの基部が固定されている。
また、他方の作動片、すなわち第２の作動片１３２における保持部材１１６の被綴じ物載置部１２２と対向する表面（すなわち上面）には、第１の綴じ環１１２を構成する第２の綴じ部材１１２ｂの基部が固定され、且つ、前記第２の綴じ部材１１２ｂと一定の間隔をおいて、第２の綴じ環１１４を構成する第４の綴じ部材１１４ｂの基部が固定されている。持部材１６の内面に近づき且つ前記第１の綴じ環１１２及び第２の綴じ環１１４を閉じた際には前記保持部材１１６の内面から離れるように、前記第１の綴じ環１１２及び第２の綴じ環１１４を開閉する方向に揺動可能に、前記保持部材１１６に保持される。
【００２７】
前記開閉部材１４０は、第１の綴じ環１１２及び第２の綴じ環１１４が固定された表面とは反対側の裏面側において、作動部材１１８に固定され、前記第１の綴じ環１１２及び第２の綴じ環１１４を開くときに、保持部材１１６内で、前記第１の作動片１３０及び第２の作動片１３２を保持部材１１６の長手方向に移動させるとともに第１の綴じ環１１２及び第２の綴じ環１１４の基部並びにその突き合わせ縁１３０ａおよび突き合わせ縁１３２ａが保持部材１１６の内面に近づいた方向に保持させて、第１の綴じ環１１２及び第２の綴じ環１１４を開く方向に変化させるように形成されている。
【００２８】
前記作動部材１１８は、前記第１の綴じ環１１２及び第２の綴じ環１１４を固定された表面側とは反対側の裏面側において、第１の綴じ環１１２及び第２の綴じ環１１４を開く方向に付勢する開閉部材１４０が固定されている。
そして、前記第１の綴じ環１１２及び第２の綴じ環１１４を閉じたときには、第１の作動片１３０及び第２の作動片１３２は、保持部材１１６の内面より離れた位置において、その突き合わせ縁１３０ａ及び突き合わせ縁１３２ａが突き合わせた状態において、平面状に保持され、そして、前記第１の綴じ環１１２及び第２の綴じ環１１４を開いたときには、第１の作動片１３０及び第２の作動片１３２は、その突き合わせ縁１３０ａ及び突き合わせ縁１３２ａが突き合わせた状態において保持部材１１６の内面に近づいた方向に向いて山折り状に保持されるように、保持部材１１６に固定されている。
【００２９】
前記第１の作動片１３０は、突き合わせ縁１３０ａの両端近傍であって、第１の綴じ部材１１２ａ及び第３綴じ部材の１１４ａの基部が固定された領域より突き合わせ縁１３０ａ寄りを、突き合わせ縁１３０ａの両端近傍を突き合わせ縁１３０ａに沿って周囲の基準面ＬＰ1より開閉部材１４０を固定される面側に曲げて凹まされて第１の作動片の向こう側凹み部１３０ｄ及び第１の作動片の手前側凹み部１３０ｅを形成されている。そして、第１の作動片の手前側凹み部１３０ｅ及び第１の作動片の向こう側凹み部１３０ｄにより前記基準面ＬＰ1より係合部を有する第１の作動片の向こう側第２係合部１３６ｂ4が形成されている。
【００３０】
前記第１の作動片１３０の第１係合部１３６ａの係合面と前記第２の作動片１３２の第２係合部１３６ｂの係合面とを、前記基準面ＬＰ1及び基準面ＬＰ2と略々同じ高さ又は低い高さにおいて係合されている。
前記第２の作動片１３２の第１係合部１３６ａの係合面と前記第１の作動片１３０の第２係合部１３６ｂの係合面とを、前記基準面ＬＰ1及び基準面ＬＰ2と略々同じ高さ又は低い高さにおいて係合されている。
第１係合部１３６ａは、第１の作動片の向こう側第１係合部１３６ａ1、第１の作動片の手前側第１係合部１３６ａ2、第２の作動片の手前側第１係合部１３６ａ3及び第２の作動片の向こう側第１係合部１３６ａ4を含む。
第２係合部１３６ｂは、第２の作動片の向こう側第２係合部１３６ｂ1、第２の作動片の手前側第２係合部１３６ｂ2、第１の作動片の手前側第２係合部１３６ｂ3及び第１の作動片の向こう側第２係合部１３６ｂ4を含む。
【００３１】
前記第１の作動片１３０は、第１係合部１３６ａが形成され且つ第２の作動片１３２と同じように第２係合部１３６ｂが形成されるとともに、前記第２の作動片１３２は、第２係合部１３６ｂが形成され且つ第１の作動片１３０と同じように第１係合部１３６ａが形成され、対向する第１の作動片１３０及び第２の作動片１３２は、第１係合部１３６ａと第２係合部１３６ｂとが係合して、突き合わせ縁１３０ａ及び突き合わせ縁１３２ａを中心にして第１の作動片１３０と第２の作動片１３２とが揺動するように形成されている。
このように、前記作動部材１１８及び開閉部材１４０を保持部材１１６の保持空間内において保持され且つ移動できるように、一対の作動片すなわち、第１の作動片１３０及び第２の作動片１３２の突き合わせ縁、すなわち、突き合わせ縁１３０ａ及び突き合わせ縁１３２ａに、移動中にも突き合わせ状態を維持するための係合部すなわち、第１係合部１３６ａ及び第２係合部１３６ｂを、開閉部材１４０を固定された面側に向けて突出して形成されているので、保持部材１１６の高さを低くして低背化を図ることができる。
【００３２】
第１の作動片１３０及び第２の作動片１３２は、第１の作動片の向こう側凹み部１３０ｄ、第１の作動片の手前側凹み部１３０ｅ、第２の作動片の向こう側凹み部１３２ｄ及び第２の作動片の手前側凹み部１３２ｅに、内側の第１の作動片の手前側第１係合部１３６ａ2及び第２の作動片の向こう側第１係合部１３６ａ4の内側近傍において、第１の作動片１３０及び第２の作動片１３２の長手方向への移動を規制する移動規制部が形成される。
移動規制部は、第１の作動片１３０の突き合わせ縁１３０ａに形成された規制凹部１３０ｆ及び規制凸部１３０ｇと、第２の作動片１３２の突き合わせ縁１３２ａに形成された規制凹部１３２ｆ及び規制凸部１３２ｇとから形成される。
規制凹部１３０ｆは、突き合わせ縁１３０ａより幅方向において凹んだ平面視コ字型の欠きであり、規制凸部１３２ｇは、前記規制凹部１３０ｆと遊嵌するように形成された平面視コ字型の凸起であり、規制凹部１３０ｆに規制凸部１３２ｇが遊嵌されて、規制凹部１３０ｆ内において第１の作動片１３０及び第２の作動片１３２がその長さ方向に互い違いに移動するように形成されている。
規制凹部１３２ｆは、突き合わせ縁１３２ａより幅方向において凹んだ平面視コ字型の欠きであり、規制凸部１３０ｇは、前記規制凹部１３２ｆと遊嵌するように形成された平面視コ字型の凸起であり、規制凹部１３２ｆに規制凸部１３０ｇが遊嵌されて、規制凹部１３２ｆ内において第１の作動片１３０及び第２の作動片１３２がその長さ方向に互い違いに移動するように形成されている。
【００３３】
移動規制部は、一方の第１の作動片１３０の突き合わせ縁１３０ａに形成された規制凹部１３０ｆ及び規制凸部１３０ｇと、他方の第２の作動片１３２の突き合わせ縁１３２ａに形成された規制凹部１３２ｆ及び規制凸部１３２ｇとから形成されているが、綴じ環１１２，１１４を綴じ環係止部１５０において閉じたとき、一方の第１の作動片１３０の規制凹部１３０ｆは、係止された綴じ環係止部１５０が外れる方向に他方の綴じ部材（第２の綴じ部材１１２ｂ，第４の綴じ部材１１４ｂ）が移動することを許容するように、他方の第２の作動片１３２の規制凸部１３２ｇの移動を許容できる長さに形成されている。
この実施の形態においては、第１の作動片１３０の突き合わせ縁１３０ａに穿設された規制凹部１３０ｆの長さは、第１の作動片１３０及び第２の作動片１３２の長さ方向において、第２の作動片１３２の突き合わせ縁１３２ａに突設された規制凸部１３２ｇの長さよりも長く形成され、また、第２の作動片１３２の突き合わせ縁１３２ａに穿設された規制凹部１３２ｆの長さは、第２の作動片１３２及び第１の作動片１３０の長さ方向において、第１の作動片１３０の突き合わせ縁１３０ａに突設された規制凸部１３０ｇの長さよりも長く形成されている。
而して、第１の綴じ環１１２及び第２の綴じ環１１４に被綴じ物Ｓを綴じ込んだときに、綴具１１０の長さ方向において下方（手前側）に向けてのみ荷重がかかったときには、綴じ環係止部１５０において、第２の綴じ部材１１２ｂ及び第４の綴じ部材１１４ｂが、係止された第１の綴じ部材１１２ａ及び第３の綴じ部材１１４ａ側に向けて（下方（手前側）に向けて）転位して、第１の綴じ環１１２の綴じ環係止部１５０に強く喰い込み、被綴じ物Ｓの重みで綴じ環係止部１５０が脱係することがない。
【００３４】
第１の作動片１３０の突き合わせ縁１３０ａ側及び第２の作動片１３２の突き合わせ縁１３２ａ側であって、第１の綴じ部材１１２ａの基部と第３の綴じ部材１１４ａの基部と第２の綴じ部材１１２ｂの基部と第４の綴じ部材１１４ｂの基部の間において、第１の綴じ環１１２と第２の綴じ環１１４とを開閉方向に変化させる開閉部材１４０が設けられている。
開閉部材１４０は、一本の弾力性を有するピアノ線などの鋼線からなり、開閉部材１４０は、直線状の連接部１４２と、前記連接部１４２の一端に形成された直線状の第１架設部１４４と、前記連接部１４２の他端に形成された直線状の第２架設部１４６とを備える。
前記開閉部材１４０は、前記作動部材１１８を構成する一対の作動片すなわち第１の作動片１３０と第２の作動片１３２との間において、一対の第１の作動片１３０と第２の作動片１３２をそれぞれ逆方向に移動させるように、第１の綴じ部材１１２ａ及び第３の綴じ部材１１４ａの基部を結ぶ方向であり、且つ第２の綴じ部材１１２ｂ及び第４の綴じ部材１１４ｂの基部を結ぶ方向と略平行な方向で逆向きに付勢するために架け渡されている。それとともに、前記開閉部材１４０は、綴じ環すなわち第１の綴じ環１１２及び第２の綴じ環１１４を開き且つ開閉状態を保持させるように、第１の作動片１３０に間隔をおいて固定された綴じ環すなわち第１の綴じ部材１１２ａ及び第３の綴じ部材１１４ａの基部を結ぶ方向と交差する方向であり、且つ作動片１３２に間隔をおいて固定された綴じ環すなわち第２の綴じ部材１１２ｂ及び第４の綴じ部材１１４ｂの基部を結ぶ方向と交差する方向で連接部１４２の円周方向に捩って、前記作動部材１１８を構成する一対の作動片すなわち第１の作動片１３０と第２の作動片１３２との間において、架け渡されている。
【００３５】
前記第１架設部１４４は、第１の綴じ部材１１２ａ及び第３の綴じ部材１１４ａの基部と第２の綴じ部材１１２ｂ及び第４の綴じ部材１１４ｂの基部とが綴じ環の先端側に向けて上昇して開く方向に付勢するように、第１の作動片１３０と第２の作動片１３２との間に架け渡されている。
前記第２架設部１４６は、第１の綴じ部材１１２ａ及び第３の綴じ部材１１４ａの基部と第２の綴じ部材１１２ｂ及び第４の綴じ部材１１４ｂの基部とが綴じ環の先端側に向けて上昇して開く方向に付勢するように、第１の作動片１３０と第２の作動片１３２との間に架け渡されている。
そして、前記第１架設部１４４と第２架設部１４６とは、第１架設部１４４と第２架設部１４６の付勢力に抗して第１の綴じ環１１２と第２の綴じ環１１４との綴じ環係止部１５０の係合を外したときに、第１の作動片１３０と第２の作動片１３２とを、第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って第１の作動片１３０と第２の作動片１３２とを逆向きに移動させるように第１の作動片１３０と第２の作動片１３２とを付勢して、第１の作動片１３０と第２の作動片１３２との間に架け渡されている。
開閉部材１４０は、前記連接部１４２が、第１の綴じ環１１２と第２の綴じ環１１４とが閉じた状態において、開いた状態から閉じた状態への方向に向けて第１の作動片１３０と第２の作動片１３２とを突き合わせ縁１３０ａ及び突き合わせ縁１３２ａを中心に回動させる方向に連接部１４２を捩る荷重を加えて、連接部１４２の中心軸まわりにねじりモーメントを受け、変形をうけた線状材のもとに戻ろうとする力を発生させるようにして、第１の作動片１３０と第２の作動片１３２との間に架け渡され、且つ、第１架設部１４４が第１の作動片１３０に、第２架設部１４６が第２の作動片１３２に固定される。
この実施の形態において、開閉部材１４０は、連接部１４２と第１架設部１４４とを接続する接続部（第１接続部１４８ａ）において、及び連接部１４２と第２架設部１４６とを接続する接続部（第２接続部１４８ｂ）において、一本の直線状ピアノ線などの弾力性を有する鋼線の第１架設部１４４の領域と第２架設部１４６の領域とを略々同じ向きに向けて折り曲げ、且つ、連接部１４２を図７図示角度β1及びβ2分捩って、一対の作動片（第１の作動片１３０及び第２の作動片１３２）に固定されるように、構成されている。
【００３６】
開閉部材１４０は、力をかけない元の状態においては、図９において示すように、半直線状連接部１４２と半直線状第１架設部１４４とがなす角度α2が、綴じ環係止部１５０の係合を外す方向Ｏ1方向に平面視略々１１５〜１２０度の角度をなすように折り曲げられ、且つ半直線状連接部１４２と半直線状第２架設部１４６となす角度α1が、綴じ環係止部１５０の係合を外す方向Ｏ2方向に平面視略々１１５〜１２０度の角度をなすように折り曲げられるとともに、半直線状第１架設部１４４と半直線状連接部１４２とがなす角度β3及び半直線状第２架設部１４６と半直線状連接部１４２とがなす角度β4が、背面方向に向けて側面視略々１１０度の角度をなすように折り曲げられている。
【００３７】
前記第１架設部１４４は、第１の作動片１３０及び第２の作動片１３２が平面状に突き合わされた状態（すなわち第１の綴じ環１１２と第２の綴じ環１１４とが閉じた状態）において、前記第２架設部１４６が第２の作動片１３２を前記山折り状態にする方向すなわち第２の綴じ部材１１２ｂ及び第４の綴じ部材１１４ｂを閉じる方向である第１の綴じ環１１２の突き出る方向に向けて連接部１４２を捩った状態で第２の作動片１３２の第１開閉部材固定部１３８ａに固定された状態において、第１の作動片１３０の第３開閉部材固定部１３８ｃと第２の作動片１３２の第１開閉部材固定部１３８ａとの間に架け渡されている。
前記第１架設部１４４は、第１の綴じ環１１２と第２の綴じ環１１４との綴じ環係止部１５０の係合をオープナー１０で外した後、オープナー１０で綴じ環係止部１５０を捻る力を弱めるか取り除いたときに、第１の作動片１３０と第２の作動片１３２とを第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って、綴じ環係止部１５０を捻ったときに綴じ環係止部１５０の係合を外す方向（Ｏ1）に移動した後、第１の作動片１３０を反対方向に移動させて第２の作動片１３２とを互いに逆向きに移動させ、第１の綴じ環１１２と第２の綴じ環１１４を閉じる位置すなわち第１の綴じ環１１２と第２の綴じ環１１４とが直線上に並ぶ位置まで移動させるように、第１の作動片１３０と第２の作動片１３２とを同列に並んだ並置された状態において、第１の綴じ環１１２と第２の綴じ環１１４との綴じ環係止部１５０の係合を外す方向（Ｏ1方向）に撓めて、第１の作動片１３０と第２の作動片１３２との間に架け渡されている。
この状態において、連接部１４２と第１架設部１４４とがなす角度θ2は、前記角度α2よりやや狭い１００度以下に構成されている。而して、第１架設部１４４は、第１の綴じ環１１２と第２の綴じ環１１４との係合を外す方向Ｏ1とは反対側に向けて第１の作動片１３０を付勢するとともに、第１の作動片１３０を第２の作動片１３２に向けて押すように付勢する。
前記第２架設部１４６は、第１の作動片１３０及び第２の作動片１３２が平面状に突き合わされた状態（すなわち第１の綴じ環１１２と第２の綴じ環１１４とが閉じた状態）において、前記第１架設部１４４が第１の作動片１３０を前記山折り状態にする方向すなわち第１の綴じ部材１１２ａ及び第３の綴じ部材１１４ａを閉じる方向である第２の綴じ環１１４の突き出る方向に向けて連接部１４２を捩った状態で第１の作動片１３０の第２開閉部材固定部１３８ｂに固定された状態において、第２の作動片１３２の第４開閉部材固定部１３８ｄと第１の作動片１３０の第２開閉部材固定部１３８ｂとの間に架け渡されている。
前記第２架設部１４６は、第１の綴じ環１１２と第２の綴じ環１１４との綴じ環係止部１５０の係合をオープナー１０で外した後、オープナー１０で綴じ環係止部１５０を捻る力を弱めるか取り除いたときに、第１の作動片１３０と第２の作動片１３２とを第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って、綴じ環係止部１５０を捻ったときに綴じ環係止部１５０の係合を外す方向（Ｏ2）に移動した後、第１の作動片１３０を反対方向に移動させて第２の作動片１３２とを互いに逆向きに移動させるように、第１の作動片１３０と第２の作動片１３２とを同列に並んだ並置された状態において、第１の綴じ環１１２と第２の綴じ環１１４との綴じ環係止部１５０の係合を外す方向（Ｏ2方向）に撓めて、第１の作動片１３０と第２の作動片１３２との間に架け渡されている。
この状態において、連接部１４２と第２架設部１４６とがなす角度θ1は、前記角度α1よりやや狭い１００度以下に構成されている。而して、第２架設部１４６は、第１の綴じ環１１２と第２の綴じ環１１４との係合を外す方向Ｏ2とは反対側に向けて第２の作動片１３２を付勢するとともに、第２の作動片１３２を第１の作動片１３０に向けて押すように付勢する。
【００３８】
連接部１４２は、第１の綴じ部材１１２ａ及び第４の綴じ部材１１４ｂの突き出る方向である上向きにその円周方向に捩って、第１の作動片１３０と第２の作動片１３２に固着された第１の綴じ部材１１２ａの基部と第３の綴じ部材１１４ａの基部とを結ぶ線（Ｘ1（図１１図示））及び第２の綴じ部材１１２ｂの基部と第４の綴じ部材１１４ｂの基部とを結ぶ線（Ｘ2（図１１図示））並びに突き合わせ縁１３０ａ及び突き合わせ縁１３２ａと交差する方向に（この実施の形態においては、突き合わせ縁１３０ａ及び突き合わせ縁１３２ａの中央Ｃを通る斜行線上に）固定されている。
この実施の形態においては、連接部１４２は、図１１Ｂ及び１１Ｃにおいて示すように、力をかけない元の状態から側面視において６０度程捩って、第１の作動片１３０及び第２の作動片１３２に固定される。
この実施の形態においては、連接部１４２は、突き合わせ縁１３０ａ及び突き合わせ縁１３２ａを通る線Ｘ3と１０数度の角度をなす斜行線γ（図１１Ｅ図示）上において、突き合わせ縁１３０ａ及び突き合わせ縁１３２ａの中央Ｃより均等な長さを有して、第１の作動片１３０の第２開閉部材固定部１３８ｂと第２の作動片１３２の第１開閉部材固定部１３８ａとに固定されている。
連接部１４２及び第１架設部１４４は、連接部１４２と第１架設部１４４との接続部である第１接続部１４８ａの近傍において、第２の作動片１３２の裏面側の突き合わせ縁１３０ａ及び突き合わせ縁１３２ａの長手方向における中央Ｃより第２の綴じ部材１１２ｂ側に固定されている。
連接部１４２及び第２架設部１４６は、連接部１４２と第２架設部１４６との接続部である第２接続部１４８ｂの近傍において、第１の作動片１３０の裏面側の突き合わせ縁１３０ａ及び突き合わせ縁１３２ａの長手方向における中央Ｃより第３の綴じ部材１１４ａ側に固定されている。
そして、第１架設部１４４は、連接部１４２と第１架設部１４４との接続部である第１接続部１４８ａの近傍において、第１の作動片１３０の裏面側の突き合わせ縁１３０ａ及び突き合わせ縁１３２ａの長手方向における中央Ｃより、第２の綴じ部材１１２ｂ側に固定され、且つ、連接部１４２と第１架設部１４４との接続部である第１接続部１４８ａとは離れた位置すなわち第１架設部１４４の先端において、第１の作動片１３０の裏面側の突き合わせ縁１３０ａ及び突き合わせ縁１３２ａの長手方向における中央Ｃより第１の綴じ部材１１２ａ側であって、第１開閉部材固定部１３８ａより第１の綴じ部材１１２ａ側に固定されている。
この実施の形態においては、第１架設部１４４は、Ｏ1方向とは反対側に２０度程傾けている。
そして、第２架設部１４６は、連接部１４２と第２架設部１４６との接続部である第２接続部１４８ｂの近傍において、第１の作動片１３０の裏面側の突き合わせ縁１３０ａ及び突き合わせ縁１３２ａの長手方向における中央Ｃより、第３の綴じ部材１１４ａ側に固定され、且つ、連接部１４２と第２架設部１４６との接続部である第２接続部１４８ｂとは離れた位置すなわち第２架設部１４６の先端において、第２の作動片１３２の裏面側の突き合わせ縁１３０ａ及び突き合わせ縁１３２ａの長手方向における中央Ｃより第４の綴じ部材１１４ｂ側であって、第２開閉部材固定部１３８ｂより第４の綴じ部材１１４ｂ側に固定されている。
この実施の形態においては、第２架設部１４６は、Ｏ2方向とは反対側に２０度程傾けている。
【００３９】
そして、１対の前記第１の作動片１３０及び第２の作動片１３２は、前記保持部材１１６の長手方向において互いに逆方向に移動させることにより、前記綴じ部材の組み合わせによる前記第１の綴じ環１１２及び第２の綴じ環１１４が分離され、前記第１の綴じ環１１２及び第２の綴じ環１１４が分離されたときに、前記開閉部材１４０は、前記第１の作動片１３０と第２の作動片１３２とを付勢して、前記第１の綴じ部材１１２ａと第２の綴じ部材１１２ｂ及び第３の綴じ部材１１４ａと第４の綴じ部材１１４ｂとを開放させる。
【００４０】
前記綴じ環は、図２０〜図２２に示すように、主綴じ環たる第１の綴じ環１１２と、該第１の綴じ環１１２の閉じる方向に向けての作動に追動する副綴じ環たる第２の綴じ環１１４とにより構成されている。
そして、第１の綴じ環１１２と第２の綴じ環１１４とは、同一方向（図１１のＯ1及びＯ2方向）に向けて、その綴じ環係止部１５０をオープナー１０で外すことができるように構成されている。
第１の綴じ環１１２を構成する第１の綴じ部材１１２ａの先端に形成された綴じ環係止部１５０を構成する先端の凸部１５２ａ及びその凸部１５２ａに続く凹部１５２ｂと、第２の綴じ部材１１２ｂの綴じ環係止部１５０を構成する先端の凸部１５４ａ及びその先端の凸部１５４ａに続く凹部１５４ｂとは、第１の綴じ環１１２を閉じたとき係合するように逆方向に向けて突き出しあるいは凹み形成されている。
凸部１５２ａ及び凸部１５４ａは、それぞれ先端から内側に向けて湾曲凸面を有する傾斜対向面１５２ｃ及び湾曲凸面を有する傾斜対向面１５４ｃと、傾斜対向面１５２ｃ及び傾斜対向面１５４ｃに続き、凸部１５２ａ及び凸部１５４ａの後端（基部側）から除々に先端側（すなわち閉じる方向）に入り込んだ傾斜対向面１５２ｄ及び傾斜対向面１５４ｄが形成され、後端近傍が鉤状で、全体として鉤鼻状に形成されている。
凹部１５２ｂは、基部側から先端に向けて湾曲凹面を有する傾斜対向面を備え、凹部１５４ｂは、同様に基部側から先端に向けて湾曲凹面を有する傾斜対向面を備えている。
また、第２の綴じ環１１４を構成する第３の綴じ部材１１４ａの先端に形成された綴じ環係止部１５０を構成する凸部１５６ａ及びその凸部１５６ａに続く凹部１５６ｂと、第４の綴じ部材１１４ｂの綴じ環係止部１５０を構成する先端の凸部１５８ａ及びその先端の凸部１５８ａに続く凹部１５８ｂとは、第２の綴じ環１１４を閉じたとき係合するように逆方向に向けて突き出しあるいは凹み形成されている。
凸部１５６ａ及び凸部１５８ａは、それぞれ先端から内側に向けて湾曲凸面を有する傾斜対向面１５６ｃ及び湾曲凸面を有する傾斜対向面１５８ｃと、傾斜対向面１５６ｃ及び傾斜対向面１５８ｃに続き、凸部１５６ａ及び凸部１５８ａの後端（基部側）から除々に先端側（すなわち閉じる方向）に入り込んだ傾斜対向面１５６ｄ及び傾斜対向面１５８ｄが形成され、後端近傍が鉤状で、全体として鉤鼻状に形成されている。
凹部１５６ｂは、基部側から先端に向けて湾曲凹面を有する傾斜対向面を備え、凹部１５８ｂは、同様に湾曲凹面を有する傾斜対向面を備えている。
【００４１】
凸部１５２ａの最高部と凹部１５２ｂの最深部との間の距離Ｌ１及び凸部１５４ａの最高部と凹部１５４ｂの最深部との間の距離Ｌ１は、綴じ環係止部１５０を脱係するときに関係する長さである。
そして、この実施の形態においては、凸部１５２ａの最高部と凹部１５２ｂの最深部との間の距離Ｌ１及び凸部１５４ａの最高部と凹部１５４ｂの最深部との間の距離Ｌ１は、第１の綴じ部材１１２ａの手前側縁と手前側の孔縁１２６ａ2との間の距離Ｌ２と第２の綴じ部材１１２ｂの向こう側と向こう側の孔縁１２６ｂ1との間の距離Ｌ３との和より短くなるように構成され、第１の綴じ環１１２をねじって綴じ環係止部１５０を脱係させることができるように構成されている。
同様に、凸部１５２ａの最高部と凹部１５２ｂの最深部との間の距離Ｌ１及び凸部１５４ａの最高部と凹部１５４ｂの最深部との間の距離Ｌ１は、第３の綴じ部材１１４ａの手前側縁と手前側の孔縁１２８ａ2との間の距離Ｌ２と第４の綴じ部材１１４ｂの向こう側と向こう側の孔縁１２８ｂ1との間の距離Ｌ３との和より短くなるように構成され、第２の綴じ環１１４をねじって綴じ環係止部１５０を脱係させることができるように構成されている。
しかしながら、Ｂ側貫通孔１２６ａ及びＢ側貫通孔１２８ａは、係止された状態にある第１の綴じ部材１１２ａの綴じ環係止部１５０が綴じられた被綴じ物Ｓの重みで綴じ環係止部１５０の外れる方向Ｏ１に移動することを規制することができるように、第１の綴じ環１１２と第２の綴じ環１１４とが閉じられたとき、前記距離Ｌ１より前記距離Ｌ２の方が短くなるように構成されている。
【００４２】
綴じ環１１２，１１４が閉じられているときに、綴じ環をねじられて綴じ環１１２，１１４が開かれるときには、一方の綴じ部材（第１の綴じ部材１１２ａ，第３の綴じ部材１１４ａ）が綴じ環係止部１５０の係合を外す側である手前側に移動するともに他方の綴じ部材（第２の綴じ部材１１２ｂ，第４の綴じ部材１１４ｂ）が綴じ環係止部１５０の係合を外す側である向こう側に移動するために、一方の綴じ部材（第１の綴じ部材１１２ａ，第３の綴じ部材１１４ａ）を貫挿された一方の貫通孔（Ｂ側貫通孔１２６ａ，Ｂ側貫通孔１２８ａ）は、一方の綴じ部材（第１の綴じ部材１１２ａ，第３の綴じ部材１１４ａ）の移動を許容するように形成され、他方の綴じ部材（第２の綴じ部材１１２ｂ，第４の綴じ部材１１４ｂ）を貫挿された他方の貫通孔（Ａ側貫通孔１２６ｂ，Ａ側貫通孔１２８ｂ）は、他方の綴じ部材（第２の綴じ部材１１２ｂ，第４の綴じ部材１１４ｂ）の移動を許容するように形成されている。
移動規制部は、一方の綴じ部材（第１の綴じ部材１１２ａ，第３の綴じ部材１１４ａ）の移動を許容するように形成され、他方の綴じ部材（第２の綴じ部材１１２ｂ，第４の綴じ部材１１４ｂ）の移動を許容するように形成されている。
そして、綴じ環１１２，１１４に被綴じ物Ｓによる一方の綴じ部材（第１の綴じ部材１１２ａ，第３の綴じ部材１１４ａ）の綴じ環係止部１５０の係合を外す方向にのみ過負荷がかかったときには、一方の綴じ部材（第１の綴じ部材１１２ａ，第３の綴じ部材１１４ａ）を貫挿された一方の貫通孔（Ｂ側貫通孔１２６ａ，Ｂ側貫通孔１２８ａ）は、一方の綴じ部材（第１の綴じ部材１１２ａ，第３の綴じ部材１１４ａ）の綴じ環係止部１５０の係合を外す側に移動した一方の綴じ部材（第１の綴じ部材１１２ａ，第３の綴じ部材１１４ａ）の移動を停止するように形成され、且つ他方の綴じ部材（第２の綴じ部材１１２ｂ，第４の綴じ部材１１４ｂ）を貫挿された他方の貫通孔（Ａ側貫通孔１２６ｂ，Ａ側貫通孔１２８ｂ）は、他方の綴じ部材（第２の綴じ部材１１２ｂ，第４の綴じ部材１１４ｂ）が、前記停止した一方の綴じ部材（第１の綴じ部材１１２ａ，第３の綴じ部材１１４ａ）に向けて更に移動することを許容するように形成されるとともに、且つ移動規制部は、一方の綴じ部材（第１の綴じ部材１１２ａ，第３の綴じ部材１１４ａ）の綴じ環係止部１５０の係合を外す側に移動した一方の綴じ部材（第１の綴じ部材１１２ａ，第３の綴じ部材１１４ａ）に向けて、他方の綴じ部材（第２の綴じ部材１１２ｂ，第４の綴じ部材１１４ｂ）が更に移動することを許容するように形成されている。
【００４３】
綴じ環係止部１５０は、一方の綴じ部材（第１の綴じ部材１１２ａ，第３の綴じ部材１１４ａ）の係止凸部（凸部１５２ａ，凸部１５６ａ）が向こう側に向けて突き出ており且つ他方の綴じ部材（第２の綴じ部材１１２ｂ，第４の綴じ部材１１４ｂ）の係止凸部（凸部１５４ａ，凸部１５８ａ）が手前側に向けて突き出ており、綴じ環係止部１５０を脱係して閉じている綴じ環をねじられて開かれるときには、一方の綴じ部材（第１の綴じ部材１１２ａ，第３の綴じ部材１１４ａ）の係止凸部（凸部１５２ａ，凸部１５６ａ）が突き出ている方向とは反対側に向けて一方の綴じ部材（第１の綴じ部材１１２ａ，第３の綴じ部材１１４ａ）を移動させ且つ他方の綴じ部材（第２の綴じ部材１１２ｂ，第４の綴じ部材１１４ｂ）の係止凸部（凸部１５４ａ，凸部１５８ａ）が突き出ている方向とは反対側に向けて他方の綴じ部材（第２の綴じ部材１１２ｂ，第４の綴じ部材１１４ｂ）を移動させて、一方の綴じ部材（第１の綴じ部材１１２ａ，第３の綴じ部材１１４ａ）の係止凸部（凸部１５２ａ，凸部１５６ａ）を他方の綴じ部材（第２の綴じ部材１１２ｂ，第４の綴じ部材１１４ｂ）の係止凹部（凹部１５４ｂ，凹部１５８ｂ）から脱係させ且つ他方の綴じ部材（第２の綴じ部材１１２ｂ，第４の綴じ部材１１４ｂ）の係止凸部（凸部１５４ａ，凸部１５８ａ）を一方の綴じ部材（第１の綴じ部材１１２ａ，第３の綴じ部材１１４ａ）の係止凹部（凹部１５２ｂ，凹部１５６ｂ）から脱係させることができる。
【００４４】
基体１２を傾斜させる向きに指で力を加えて、第１の綴じ環１１２と第２の綴じ環１１４の基部をオープナー１０でねじることにより第２の綴じ環１１４の綴じ環係止部１５０を外したとき、第１の作動片１３０と第２の作動片１３２には、ねじられていた開閉部材１４０が元の状態に戻ろうとする力、すなわち一方の第１架設部１４４と他方の第２架設部１４６とが、図６（Ｂ）（Ｃ）矢印方向に示すように、連接部１４２の円周方向に回転して元の状態に戻ろうとするように力が働くことにより、第１の綴じ環１１２は開く。
また、第１の綴じ環１１２及び第２の綴じ環１１４は、その綴じ環係止部１５０が外され（図１１参照）、第１の作動片１３０及び第２の作動片１３２は、綴じ環係止部１５０の外れる方向（第１の作動片１３０はＯ1方向、第２の作動片１３２はＯ2方向）に移動する（図１４（Ａ）参照）。それによって、移動規制部を構成する第１の作動片１３０の規制凸部１３０ｇが第２の作動片１３２の規制凹部１３２ｆ内を移動して、規制凹部１３２ｆにおける綴じ環係止部１５０の外れる方向とは反対側の端縁に突き当たり、且つ移動規制部を構成する第２の作動片１３２の規制凸部１３２ｇが第１の作動片１３０の規制凹部１３０ｆ内を移動して、規制凹部１３０ｆにおける綴じ環係止部２方向とは反対側の端縁に突き当たる（図１４（Ｂ）参照）。
オープナー１０の回転する力を取り除くか弱めると、第１の綴じ環１１２から手を離すかひねる力を弱めると、第１の綴じ環１１２及び第２の綴じ環１１４は、開閉部材１４０の第１架設部１４４と第２架設部１４６とが、図１０（Ｂ）（Ｃ）矢印方向に示すように、連接部１４２の円周方向に回転して元の状態に戻ろうとする力を第１の作動片１３０及び第２の作動片１３２に働かせることにより、第１の作動片１３０及び第２の作動片１３２が平面状態から山折り状態に変わって、更に開き（第１の綴じ部材１１２ａ及び第３の綴じ部材１１４ａはＯ3方向、第２の綴じ部材１１２ｂ及び第４の綴じ部材１１４ｂはＯ4方向）、且つ、開閉部材１４０の第１架設部１４４及び第２架設部１４６が元の状態に戻ろうとすることにより、第１の作動片１３０と第２の作動片１３２とは、逆方向に移動する（図１８（Ａ）（Ｂ）参照）。
すなわち、作動部材１１８及び開閉部材１４０は、第２の綴じ環１１４を構成する第３の綴じ部材１１４ａの凸部１５６ａと第４の綴じ部材１１４ｂの凸部１５８ａとを開く方向に作用し、そして、第１の綴じ環１１２の第１の綴じ部材１１２ａの凸部１５２ａと第２の綴じ部材１１２ｂの凸部１５４ａとを引き離す方向に作用するとともに、第２の綴じ環１１４を構成する第３の綴じ部材１１４ａの凸部１５６ａと第４の綴じ部材１１４ｂの凸部１５８ａとを引き離すように作用する。
【００４５】
このように、この実施の形態においては、第１の綴じ環１１２又は第２の綴じ環１１４の基部を、基体１２を傾斜させる左向き（線Ｘ1及びＸ2方向と交差する方向）に、操作部１８を指で押す、すなわちオープナー１０に力を加えて（図７図示）オープナー１０でねじることにより、第１の綴じ環１１２の第１の綴じ部材１１２ａおよび第２の綴じ部材１１２ｂの綴じ環係止部１５０と、第２の綴じ環１１４の第３の綴じ部材１１４ａおよび第４の綴じ部材１１４ｂの綴じ環係止部１５０を外すことができる。
【００４６】
また、第１の綴じ環１１２の第１の綴じ部材１１２ａと第２の綴じ部材１１２ｂの綴じ環係止部１５０および第２の綴じ環１１４の第３の綴じ部材１１４ａと第４の綴じ部材１１４ｂの綴じ環係止部１５０の係合を解除し、オープナー１０によるねじる力を取り除くか弱めたとき、開閉部材１４０の第１架設部１４４と第２架設部１４６とが連接部１４２の円周方向において同一方向へ動こうとする力（すなわち、開閉部材１４０に力をかけていない元の状態に戻ろうとする力）が働くことにより、作動部材１１８は、第１の作動片１３０の突き合わせ縁１３０ａと第２の作動片１３２の突き合わせ縁１３２ａとを枢軸として、連接部１４２の元に戻ろうとする力により揺動し、且つ第１架設部１４４と第２架設部１４６の元に戻ろうとする力により第１の作動片１３０と第２の作動片１３２とが逆方向に移動して、突き合わせ縁１３０ａと突き合わせ縁１３２ａとが綴じ環の突き出る方向に上昇して、山折り状態になる。
【００４７】
このような綴具１１０の第２の綴じ環１１４に、図１及び３に示すように、この発明のオープナー１０が取り付けられる。このとき、第３の綴じ部材１１４ａおよび第４の綴じ部材１１４ｂが開いた状態で、第１貫通孔２０に第３の綴じ部材１１４ａを挿通し、切れ目２４を介して第２貫通孔２２に第４の綴じ部材１１４ｂが嵌め込まれる。このように、第２の綴じ環１１４にオープナー１０を取り付けることにより、綴具１１０の保持部材１１６の長手方向に向かって延長されるように、オープナー１０の基体１２が配置される。基体１２は、第２の綴じ環１１４にオープナー１０を取り付けたときに、表紙ＣＯの下端部近傍まで届く長さに形成される。
【００４８】
オープナー１０を第２の綴じ環１１４に取り付けたとき、基体１２にヒンジ部２８が形成されていることにより、基体１２が保持部材１１６に沿って配置され、第１貫通孔２０，第２貫通孔２２が保持部材１１６に近い位置に配置される。したがって、第３の綴じ部材１１４ａおよび第４の綴じ部材１１４ｂの基部部分に、オープナー１０の第１貫通孔２０，第２貫通孔２２が配置される。
【００４９】
なお、小さいほうの第１貫通孔２０は、第３の綴じ部材１１４ａの断面形状に近い大きさとなるように形成されることが好ましい。このような大きさに形成することにより、第１貫通孔２０部分において、基体１２にぐらつきが発生することを防止することができる。さらに、綴具１１０の保持部材１１６の長手方向に延長されるように、基体１２が配置された状態において、第１の綴じ環１１２側において小さい第１貫通孔２０の端部が第３の綴じ部材１１４ａに当接され、その反対側において大きい第２貫通孔２２の端部が第４の綴じ部材１１４ｂに当接されるように、２つの第１貫通孔２０，第２貫通孔２２が形成される。
【００５０】
この状態で、第１の綴じ環１１２および第２の綴じ環１１４によって、オープナー１０の上に紙などの被綴じ物が綴じ込まれる。そして、操作部１８に手を当て、矢印状の孔２６の向きに力を加えることにより、保持部材１１６の長手方向に対して基体１２が傾斜するように変位する。それにより、図６及び７に示すように、第３の綴じ部材１１４ａおよび第４の綴じ部材１１４ｂに当接された第１貫通孔２０，第２貫通孔２２の端部によって、第３の綴じ部材１１４ａおよび第４の綴じ部材１１４ｂが、それらの間の保持部材１１６の中心線に沿って逆向きに変位する。このような変位により、図８に示すように、第２の綴じ環１１４の綴じ環係止部１５０が解除され、第３の綴じ部材１１４ａおよび第４の綴じ部材１１４ｂが開く。第１の綴じ環１１２は、第２の綴じ環１１４に連動しているため、オープナー１０を操作することにより、第１の綴じ部材１１２ａおよび第２の綴じ部材１１２ｂも開く。
【００５１】
このように、このオープナー１０を用いることにより、表紙ＣＯの下端部近傍まで延びた基体１２の操作部１８に指をかけて力を加えることにより、容易に第１の綴じ環１１２および第２の綴じ環１１４を開くことができる。したがって、被綴じ物の上で綴じ環を操作する必要がなく、第１の綴じ環１１２および第２の綴じ環１１４に、多数の被綴じ物を綴じ込むことができる。
【００５２】
なお、基体１２にヒンジ部２８が形成されていることにより、基体１２の強度を高めることができる。ただし、基体１２の長手方向の全体にヒンジ部が形成されると、操作部１８に力を加えるときに、ヒンジ部における基体１２の折れ曲がりが大きくなり、操作性が悪くなる可能性がある。しかしながら、このオープナー１０では、矢印状の孔２６から基体１２の長手方向の他端部までの間にヒンジ部が形成されていないため、操作部１８部分における基体１２のさらなる折れ曲がりを防止することができる。
【００５３】
さらに、ヒンジ部２８とヒンジ部が形成されていない部分とが連続していると、ヒンジ部２８が平面状に戻る力が働くが、矢印状の孔２６でヒンジ部２８とヒンジ部が形成させていない部分とを分けることにより、ヒンジ部２８にそのような力が働くのを防止することができる。したがって、ヒンジ部２８によって基体１２の強度を高めるという効果を得ることができ、ヒンジ部が形成されていない操作部１８形成部によって良好な操作性を得るという効果を得ることができる。
【００５４】
また、このオープナー１０においては、操作部１８が基体１２の長手方向に沿って形成されているため、操作部１８に指をかけて力を加えるときに、傾斜部１６ａが連続して形成されている場合に比べて指が滑りにくくなる。
【００５５】
さらに、基体１２は、段差部１４を境にして、幅が異なるように形成されているが、幅が大きい部分は、表紙ＣＯを閉じたときに、表表紙と裏表紙に挟まれる程度の幅に形成されることが好ましい。このような幅とすることにより、第２の綴じ環１１４の近傍において、表表紙と裏表紙により基体１２が固定されて、オープナー１０を安定させることができる。ただし、基体１２が同一の幅に形成されている場合、表紙ＣＯの下端部側においても表表紙と裏表紙に挟まれて、背表紙に対してオープナー１０が傾く可能性がある。このような場合、被綴じ物が傾いたオープナー１０で傷つけられる恐れがあるため、表紙ＣＯの下端部側においては基体１２の幅を狭くして、表表紙と裏表紙に接触しないようにしてある。
【００５６】
なお、第１貫通孔２０，第２貫通孔２２の形状としては、四角形状に限らず、円形などの任意の形状に変更することができる。第１貫通孔２０，第２貫通孔２２の形状にかかわらず、保持部材１１６の長手方向の反対側において、第１貫通孔２０，第２貫通孔２２の端部が第３の綴じ部材１１４ａおよび第４の綴じ部材１１４ｂに当接した状態とすることにより、オープナー１０を大きく変位させることなく、第１の綴じ環１１２および第２の綴じ環１１４を開くことができる。つまり、第１の綴じ環１１２および第２の綴じ環１１４を開くときの初期作動を早くすることができる。
【００５７】
なお、図２３，２４および図２５に示すように、このオープナー１０は、大型のＤ型の綴じ環５１２，５２４を用いた綴具１１０にも使用することができる。このような綴具１１０は、表紙ＣＯの裏表紙の内側に取り付けられるため、オープナー１０を綴具１１０に取り付けたときに、オープナー１０が表表紙と裏表紙で挟まれることがない。そのため、２６に示すように、段差部のない基体１２を用いることができる。
【００５８】
また、オープナー１０の外形は、例えば図２７〜図３３に示すように、基体１２の向こう側から手前側に至るまで、平面視テーパー状としてもよく、基体１２の中央部分から手前側に至る領域のみをテーパー状としてもよい。
また、オープナー１０は、合成樹脂の成形品として最初全体を平板状に形成し、ヒンジ部２８を形成する部位においてトムソン加工を施して折り曲げて、ヒンジ部２８を成形してもよく、また、金属製平板をプレス加工品として最初全体を平板状に形成し、ヒンジ部２８を形成する部位において折り曲げ加工を施して折り曲げて、ヒンジ部２８を形成してもよい。
また、図３５において示すように、第１の綴じ環１１２に取り付けて、向こう側に向けて基体１２がのびるようにしてもよい。
また、図３６において示すように、保持部材と直交する方向、すなわち第２の綴じ環１１４の開く方向に基体１２がのびるようにしてもよい。
【符号の説明】
【００５９】
１０  オープナー
１２  基体
１４  段差部
１６ａ，１６ｂ  傾斜部
１８  操作部
２０  第１貫通孔
２２  第２貫通孔
２４  切れ目
２６  孔
２８  ヒンジ部
１１０  綴具
１１２  第１の綴じ環
１１２ａ  第１の綴じ部材
１１２ｂ  第２の綴じ部材
１１４  第２の綴じ環
１１４ａ  第３の綴じ部材
１１４ｂ  第４の綴じ部材
１１６  保持部材
１１８  作動部材
１２０  取付孔
１２２  被綴じ物載置部
１２４  保持壁
１２４ａ  第１の保持壁
１２４ｂ  第２の保持壁
１２６，１２８  貫通孔
１２６ａ，１２８ａ  Ｂ側貫通孔
１２６ｂ，１２８ｂ  Ａ側貫通孔
１２６ａ1，１２６ｂ1，１２８ａ1，１２８ｂ1  向こう側の孔縁
１２６ａ2，１２６ｂ2，１２８ａ2，１２８ｂ2  手前側の孔縁
１３０  第１の作動片
１３０ａ  突き合わせ縁
１３０ｂ  外側端縁
１３０ｄ  第１の作動片の向こう側凹み部
１３０ｅ  第１の作動片の手前側凹み部
１３０ｆ  規制凹部
１３０ｇ  規制凸部
１３２  第２の作動片
１３２ａ  突き合わせ縁
１３２ｂ  外側端縁
１３２ｄ  第２の作動片の向こう側凹み部
１３２ｅ  第２の作動片の手前側凹み部
１３２ｆ  規制凹部
１３２ｇ  規制凸部
１３６ａ  第１係合部
１３６ａ1  第１の作動片の向こう側第１係合部
１３６ａ2  第１の作動片の手前側第１係合部
１３６ａ3  第２の作動片の手前側第１係合部
１３６ａ4  第２の作動片の向こう側第１係合部
１３６ｂ  第２係合部
１３６ｂ1  第２の作動片の向こう側第２係合部
１３６ｂ2  第２の作動片の手前側第２係合部
１３６ｂ3  第１の作動片の手前側第２係合部
１３６ｂ4  第１の作動片の向こう側第２係合部
１３８ａ  第１開閉部材固定部
１３８ｂ  第２開閉部材固定部
１３８ｃ  第３開閉部材固定部
１３８ｄ  第４開閉部材固定部
１４０  開閉部材
１４２  連接部
１４４  第１架設部
１４６  第２架設部
１４８ａ  第１接続部
１４８ｂ  第２接続部
１５０  綴じ環係止部
１５２ａ，１５４ａ，１５６ａ，１５８ａ  凸部
１５２ｂ，１５４ｂ，１５６ｂ，１５８ｂ  凹部
１５２ｃ，１５２ｄ，１５４ｃ，１５４ｄ，
１５６ｃ，１５６ｄ，１５８ｃ，１５８ｄ  傾斜対向面
５１２，５２４  綴じ環
ＣＯ  表紙
ＬＰ1，ＬＰ2  基準面
Ｌ１，Ｌ２，Ｌ３  距離
Ｓ  被綴じ物
【図１】
2011073406.tif 000003
【図２】
2011073406.tif 000004
【図３】
2011073406.tif 000005
【図４】
2011073406.tif 000006
【図５】
2011073406.tif 000007
【図６】
2011073406.tif 000008
【図７】
2011073406.tif 000009
【図８】
2011073406.tif 000010
【図９】
2011073406.tif 000011
【図１０】
2011073406.tif 000012
【図１１Ａ】
2011073406.tif 000013
【図１１Ｂ】
2011073406.tif 000014
【図１１Ｃ】
2011073406.tif 000015
【図１１Ｄ】
2011073406.tif 000016
【図１１Ｅ】
2011073406.tif 000017
【図１１Ｆ】
2011073406.tif 000018
【図１２】
2011073406.tif 000019
【図１３】
2011073406.tif 000020
【図１４】
2011073406.tif 000021
【図１５】
2011073406.tif 000022
【図１６】
2011073406.tif 000023
【図１７】
2011073406.tif 000024
【図１８】
2011073406.tif 000025
【図１９】
2011073406.tif 000026
【図２０】
2011073406.tif 000027
【図２１】
2011073406.tif 000028
【図２２】
2011073406.tif 000029
【図２３】
2011073406.tif 000030
【図２４】
2011073406.tif 000031
【図２５】
2011073406.tif 000032
【図２６】
2011073406.tif 000033
【図２７】
2011073406.tif 000034
【図２８】
2011073406.tif 000035
【図２９】
2011073406.tif 000036
【図３０】
2011073406.tif 000037
【図３１】
2011073406.tif 000038
【図３２】
2011073406.tif 000039
【図３３】
2011073406.tif 000040
【図３４】
2011073406.tif 000041
【図３５】
2011073406.tif 000042
【図３６】
2011073406.tif 000043
【図３７】
2011073406.tif 000044
【図３８】
2011073406.tif 000045
【図３９】
2011073406.tif 000046